(57)【要約】【課題】  作業者の生産性を向上することができる休憩ガイダンスシステム、休憩ガイダンス方法及び休憩ガイダンスプログラムを提供する。【解決手段】  休憩ガイダンスシステム１は、作業者７０ａ等に休憩をガイダンスする。休憩ガイダンスシステム１は、第１検知部３１ａ等と、第２検知部４１ａ等と、ガイダンス部１７ａ等とを備える。第１検知部３１ａ等は、作業者７０ａ等の疲労度及び作業者７０ａ等の覚醒度の少なくとも一方を検知する。第２検知部４１ａ等は、作業者７０ａ等の状態を検知する。ガイダンス部１７ａ等は、作業者７０ａ等の疲労度及び作業者７０ａ等の覚醒度の少なくとも一方に基づいて、作業者７０ａ等の状態に適した休憩の方法をガイダンスする。【選択図】      図１
2005131024.tif 000002
【特許請求の範囲】
【請求項１】
作業者（７０ａ，７０ｂ，・・・，１７０ａ，１７０ｂ，・・・）に休憩をガイダンスする休憩ガイダンスシステム（１，１００，２００）であって、
前記作業者（７０ａ，・・・）の疲労度及び前記作業者（７０ａ，・・・）の覚醒度の少なくとも一方を検知する第１検知部（３１ａ，３１ｂ，・・・，１２ａ，１２ｂ，・・・）と、
前記作業者（７０ａ，・・・）の状態を検知する第２検知部（４１ａ，４１ｂ，・・・）と、
前記作業者（７０ａ，・・・）の疲労度及び前記作業者（７０ａ，・・・）の覚醒度の少なくとも一方に基づいて、前記作業者（７０ａ，・・・）の状態に適した休憩の方法をガイダンスするガイダンス部（１７ａ，１７ｂ，・・・）と、
を備えた、
休憩ガイダンスシステム（１，１００，２００）。
【請求項２】
前記ガイダンス部（１７ａ，１７ｂ，・・・）は、前記休憩の方法として、
前記作業者（７０ａ，・・・）が動かずに休憩する方法である休息と、
前記作業者（７０ａ，・・・）が動いて休憩する方法であるリフレッシュと、
前記作業者（７０ａ，・・・）が緊張を緩めることにより休憩する方法であるリラックスと、
のうち少なくとも１つをガイダンスする、
請求項１に記載の休憩ガイダンスシステム（１，１００，２００）。
【請求項３】
前記第２検知部（４１ａ，４１ｂ，・・・）は、前記作業者（７０ａ，・・・）の状態として、前記作業者（７０ａ，・・・）の作業の種類を検知する、
請求項１又は２に記載の休憩ガイダンスシステム（１，１００，２００）。
【請求項４】
前記第２検知部（４１ａ，４１ｂ，・・・）は、前記作業者（７０ａ，・・・）の状態として、前記作業者（７０ａ，・・・）の作業の経過時間及び前記作業者（７０ａ，・・・）の作業の残勤務時間の少なくとも一方を検知する、
請求項１から３のいずれかに記載の休憩ガイダンスシステム（１，１００，２００）。
【請求項５】
前記第２検知部（４１ａ，４１ｂ，・・・）は、前記作業者（７０ａ，・・・）の状態として、前記作業者（７０ａ，・・・）の周囲の環境を検知する、
請求項１から４のいずれかに記載の休憩ガイダンスシステム（１，１００，２００）。
【請求項６】
前記ガイダンス部（１７ａ，１７ｂ，・・・）は、前記作業者（７０ａ，・・・）の疲労度及び前記作業者（７０ａ，・・・）の覚醒度の少なくとも一方が所定値を超えたとき、前記作業者（７０ａ，・・・）の状態に適した休憩の方法をガイダンスする、
請求項１から５のいずれかに記載の休憩ガイダンスシステム（１，１００，２００）。
【請求項７】
前記ガイダンス部（１７ａ，１７ｂ，・・・）は、前記作業者（７０ａ，・・・）の疲労度及び前記作業者（７０ａ，・・・）の覚醒度の両方に基づいて、前記作業者（７０ａ，・・・）の状態に適した休憩の方法をガイダンスする、
請求項１から６のいずれかに記載の休憩ガイダンスシステム（１，１００，２００）。
【請求項８】
前記作業者（７０ａ，・・・）の疲労度及び前記作業者（７０ａ，・・・）の覚醒度の少なくとも一方が入力される第１入力部（１５ａ，１５ｂ，・・・）をさらに備えた、
請求項１から７のいずれかに記載の休憩ガイダンスシステム（１，１００，２００）。
【請求項９】
前記作業者（７０ａ，・・・）の状態が入力される第２入力部（１６ａ，１６ｂ，・・・）をさらに備えた、
請求項１から８のいずれかに記載の休憩ガイダンスシステム（１，１００，２００）。
【請求項１０】
前記作業者（７０ａ，・・・）の疲労度及び前記作業者（７０ａ，・・・）の覚醒度の少なくとも一方について、前記作業者（７０ａ，・・・）の休憩の前後における変化量を演算する演算部（１３ａ，１３ｂ，・・・，１１３ａ，１１３ｂ，・・・，２９３）と、
前記作業者（７０ａ，・・・）が行った休憩の方法が入力される第３入力部（２１ａ，２１ｂ，・・・）と、
前記演算部（１３ａ，１３ｂ，・・・，１１３ａ，１１３ｂ，・・・，２９３）が演算した前記変化量と前記第３入力部（２１ａ，２１ｂ，・・・）に入力された休憩の方法と前記第２検知部（４１ａ，４１ｂ，・・・）が検知した前記作業者（７０ａ，・・・）の状態との相関関係を記憶する相関関係記憶部（１８ａ，１８ｂ，・・・，１１８ａ，１１８ｂ，・・・）と、
をさらに備えた、
請求項１から９のいずれかに記載の休憩ガイダンスシステム（１，１００，２００）。
【請求項１１】
前記作業者（７０ａ，・・・）は、複数存在し、
複数の前記作業者（７０ａ，・・・）のうちいずれかの作業者（７０ａ，・・・）である対象作業者（７０ａ，・・・）の存在を、別の作業者（７０ａ，・・・）と区別して検知する第３検知部（１４３ａ，１４３ｂ，・・・）をさらに備え、
前記演算部（１３ａ，１３ｂ，・・・，１１３ａ，１１３ｂ，・・・，２９３）は、前記作業者（７０ａ，・・・）の疲労度及び前記作業者（７０ａ，・・・）の覚醒度の少なくとも一方について、前記作業者（７０ａ，・・・）の休憩の前後における変化量を前記作業者（７０ａ，・・・）毎に演算し、
前記相関関係記憶部（１８ａ，１８ｂ，・・・，１１８ａ，１１８ｂ，・・・）は、前記演算部（１３ａ，１３ｂ，・・・，１１３ａ，１１３ｂ，・・・，２９３）が演算した前記変化量と前記第３入力部（２１ａ，２１ｂ，・・・）に入力された休憩の方法と前記第２検知部（４１ａ，４１ｂ，・・・）が検知した前記作業者（７０ａ，・・・）の状態との相関関係を前記作業者（７０ａ，・・・）毎に記憶する、
請求項１０に記載の休憩ガイダンスシステム（１，１００，２００）。
【請求項１２】
前記ガイダンス部（１７ａ，１７ｂ，・・・）は、前記作業者（７０ａ，・・・）の疲労度及び前記作業者（７０ａ，・・・）の覚醒度の少なくとも一方に基づいて、前記作業者（７０ａ，・・・）の状態に適した休憩の方法及び前記作業者（７０ａ，・・・）の状態に適した休憩時間をガイダンスする、
請求項１から１１のいずれかに記載の休憩ガイダンスシステム（１，１００，２００）。
【請求項１３】
前記ガイダンス部（１７ａ，１７ｂ，・・・）がガイダンスした休憩時間に基づいて、休憩の終了を報知する報知部（２２ａ，２２ｂ，・・・）をさらに備えた、
請求項１２に記載の休憩ガイダンスシステム（１，１００，２００）。
【請求項１４】
前記ガイダンス部（１７ａ，１７ｂ，・・・）は、前記作業者（７０ａ，・・・）の疲労度及び前記作業者（７０ａ，・・・）の覚醒度の少なくとも一方に基づいて、前記作業者（７０ａ，・・・）の作業の種類を、前記作業者（７０ａ，・・・）の状態に適した作業の種類に変更するようにガイダンスする、
請求項１から１３のいずれかに記載の休憩ガイダンスシステム（１，１００，２００）。
【請求項１５】
作業者（７０ａ，・・・）に休憩がガイダンスされる休憩ガイダンス方法であって、
前記作業者（７０ａ，・・・）の疲労度及び前記作業者（７０ａ，・・・）の覚醒度の少なくとも一方が検知される第１ステップと、
前記作業者（７０ａ，・・・）の状態が検知される第２ステップと、
前記作業者（７０ａ，・・・）の疲労度及び前記作業者（７０ａ，・・・）の覚醒度の少なくとも一方に基づいて、前記作業者（７０ａ，・・・）の状態に適した休憩の方法がガイダンスされる第３ステップと、
を備えた、
休憩ガイダンス方法。
【請求項１６】
作業者（７０ａ，・・・）に対する休憩をコンピュータにガイダンスさせる休憩ガイダンスプログラムであって、
前記作業者（７０ａ，・・・）の疲労度及び前記作業者（７０ａ，・・・）の覚醒度の少なくとも一方が検知される第１ステップと、
前記作業者（７０ａ，・・・）の状態が検知される第２ステップと、
前記作業者（７０ａ，・・・）の疲労度及び前記作業者（７０ａ，・・・）の覚醒度の少なくとも一方に基づいて、前記作業者（７０ａ，・・・）の状態に適した休憩の方法がガイダンスされる第３ステップと、
を備えた、
休憩ガイダンスプログラム。
【発明の詳細な説明】
【技術分野】
【０００１】
本発明は、休憩ガイダンスシステム、休憩ガイダンス方法及び休憩ガイダンスプログラムに関する。
【背景技術】
【０００２】
オフィス等における生産性を向上させるための技術として、疲労度を検知し、作業者に警告を行う装置が提案されている（例えば、特許文献１参照。）。また、覚醒度を検知し、作業者に警告の表示を与える装置が提案されている（例えば、特許文献２参照。）。
【特許文献１】特開平７−２９５７１５  （第１−４頁、第１−３図）
【特許文献２】特許第２５０５０７２号  （第１−３頁、第１図）
【発明の開示】
【発明が解決しようとする課題】
【０００３】
しかし、従来の装置では、休憩を促すのみであり、どのようにすれば疲労を効果的に解消できるかがガイダンスされない傾向がある。そのため、警告を受けた作業者は、気の向くまま休憩を取るので、休憩が不十分になったり、休憩が多すぎたりすることがある。したがって、作業者の生産性が向上しにくいことがある。
そこで、本発明の課題は、作業者の生産性を向上することができる休憩ガイダンスシステム、休憩ガイダンス方法及び休憩ガイダンスプログラムを提供することにある。
【課題を解決するための手段】
【０００４】
請求項１に係る休憩ガイダンスシステムは、作業者に休憩をガイダンスする休憩ガイダンスシステムであって、第１検知部と、第２検知部と、ガイダンス部とを備える。第１検知部は、作業者の疲労度及び作業者の覚醒度の少なくとも一方（以下、作業者の疲労度等とする）を検知する。第２検知部は、作業者の状態を検知する。ガイダンス部は、作業者の疲労度等に基づいて、作業者の状態に適した休憩の方法をガイダンスする。
【０００５】
この休憩ガイダンスシステムでは、第１検知部が、作業者の疲労度等を検知する。第２検知部が、作業者の状態を検知する。作業者の疲労度等に基づいて、作業者の状態に適した休憩の方法を決めることができる。ガイダンス部が、作業者の疲労度等に基づいて、作業者の状態に適した休憩の方法をガイダンスする。
したがって、作業者の状態に適した休憩の方法をガイダンスするので、効果的な休憩を取ることができる。このため、作業者の生産性を向上することができる。
【０００６】
請求項２に係る休憩ガイダンスシステムは、請求項１に記載の休憩ガイダンスシステムであって、ガイダンス部は、休憩の方法として、休息とリフレッシュとリラックスとのうち少なくとも１つをガイダンスする。休息は、作業者が動かずに休憩する方法である。リフレッシュは、作業者が動いて休憩する方法である。リラックスは、作業者が緊張を緩めることにより休憩する方法である。
【０００７】
この休憩ガイダンスシステムでは、ガイダンス部が、作業者の疲労度等に基づいて、作業者の状態に適した休憩の方法をガイダンスする。ガイダンス部が、休憩の方法として、休息とリフレッシュとリラックスとのうち少なくとも１つをガイダンスする。
したがって、休憩の方法を詳細にガイダンスすることができる。
なお、休息とは、例えば、仮眠、安静、瞑想などである。リフレッシュとは、例えば、散歩、軽い運動、喫茶、会話などである。リラックスとは、例えば、落ち着かせる香りをかぐこと、落ち着かせる照明に照らされること、落ち着かせる音楽を聴くことなどである。
【０００８】
請求項３に係る休憩ガイダンスシステムは、請求項１又は２に記載の休憩ガイダンスシステムであって、第２検知部は、作業者の状態として、作業者の作業の種類を検知する。
この休憩ガイダンスシステムでは、第２検知部が、作業者の状態として、作業者の作業の種類を検知する。作業者の疲労度等に基づいて、作業者の状態に適した休憩の方法を決めることができる。ガイダンス部が、作業者の疲労度等に基づいて、作業者の状態に適した休憩の方法をガイダンスする。
【０００９】
したがって、作業者の作業の種類に適した休憩の方法をガイダンスすることができる。
なお、作業の種類は、例えば、単純な作業と複雑な作業とである。複雑な作業は、例えば、ＣＡＤによる設計作業であってもよいし、ソフトウェアのプログラミング作業であってもよいし、特許明細書の作成作業であってもよい。単純な作業は、例えば、データベースへの入力作業であってもよいし、事務書類作成作業であってもよいし、伝票の入力作業であってもよいし、文書のワープロでの清書作業であってもよい。
【００１０】
請求項４に係る休憩ガイダンスシステムは、請求項１から３のいずれかに記載の休憩ガイダンスシステムであって、第２検知部は、作業者の状態として、作業者の作業の経過時間及び作業者の作業の残勤務時間の少なくとも一方を検知する。
この休憩ガイダンスシステムでは、第２検知部が、作業者の状態として、作業者の作業の経過時間及び作業者の作業の残勤務時間の少なくとも一方を検知する。作業者の疲労度等に基づいて、作業者の状態に適した休憩の方法を決めることができる。ガイダンス部が、作業者の疲労度等に基づいて、作業者の状態に適した休憩の方法をガイダンスする。
【００１１】
したがって、作業者の作業の経過時間及び作業者の作業の残勤務時間の少なくとも一方に適した休憩の方法をガイダンスすることができる。
請求項５に係る休憩ガイダンスシステムは、請求項１から４のいずれかに記載の休憩ガイダンスシステムであって、第２検知部は、作業者の状態として、作業者の周囲の環境を検知する。
【００１２】
この休憩ガイダンスシステムでは、第２検知部が、作業者の状態として、作業者の周囲の環境を検知する。作業者の疲労度等に基づいて、作業者の状態に適した休憩の方法を決めることができる。ガイダンス部が、作業者の疲労度等に基づいて、作業者の状態に適した休憩の方法をガイダンスする。
したがって、作業者の周囲の環境に適した休憩の方法をガイダンスすることができる。
【００１３】
請求項６に係る休憩ガイダンスシステムは、請求項１から５のいずれかに記載の休憩ガイダンスシステムであって、ガイダンス部は、作業者の疲労度及び作業者の覚醒度の少なくとも一方が所定値を超えたとき、作業者の状態に適した休憩の方法をガイダンスする。
この休憩ガイダンスシステムでは、作業者の疲労度等が所定値を超えたとき、作業者の状態に適した休憩の方法を決めることができる。ガイダンス部が、作業者の疲労度等が所定値を超えたとき、作業者の状態に適した休憩の方法をガイダンスする。
【００１４】
したがって、作業者の疲労度等が所定値を超えたことにより、ガイダンスが行われる。このため、ガイダンスすべき場合を容易に特定することができる。
請求項７に係る休憩ガイダンスシステムは、請求項１から６のいずれかに記載の休憩ガイダンスシステムであって、ガイダンス部は、作業者の疲労度及び作業者の覚醒度の両方に基づいて、作業者の状態に適した休憩の方法をガイダンスする。
【００１５】
この休憩ガイダンスシステムでは、作業者の疲労度及び作業者の覚醒度の両方に基づいて、作業者の状態に適した休憩の方法を決めることができる。ガイダンス部が、作業者の疲労度及び作業者の覚醒度の両方に基づいて、作業者の状態に適した休憩の方法をガイダンスする。
したがって、疲労度と覚醒度との組み合わせに基づいて、休憩の方法をガイダンスする。このため、さらに効果的な休憩を取ることができる。
【００１６】
請求項８に係る休憩ガイダンスシステムは、請求項１から７のいずれかに記載の休憩ガイダンスシステムであって、第１入力部をさらに備える。第１入力部には、作業者の疲労度等が入力される。
この休憩ガイダンスシステムでは、第１入力部に、作業者の疲労度等が入力される。作業者の疲労度等に基づいて、作業者の状態に適した休憩の方法を決めることができる。
【００１７】
したがって、作業者の疲労度等が入力されるので、作業者の疲労度等の情報を確実に把握することができる。
請求項９に係る休憩ガイダンスシステムは、請求項１から８のいずれかに記載の休憩ガイダンスシステムであって、第２入力部をさらに備える。第２入力部には、作業者の状態が入力される。
【００１８】
この休憩ガイダンスシステムでは、第２入力部に、作業者の状態が入力される。作業者の疲労度等に基づいて、作業者の状態に適した休憩の方法を決めることができる。
したがって、作業者の状態が入力されるので、作業者の状態の情報を確実に把握することができる。
請求項１０に係る休憩ガイダンスシステムは、請求項１から９のいずれかに記載の休憩ガイダンスシステムであって、演算部と、第３入力部と、相関関係記憶部とをさらに備える。演算部は、作業者の疲労度等について、作業者の休憩の前後における変化量を演算する。第３入力部には、作業者が行った休憩の方法が入力される。相関関係記憶部は、演算部が演算した変化量と第３入力部に入力された休憩の方法と第２検知部が検知した作業者の状態との相関関係を記憶する。
【００１９】
この休憩ガイダンスシステムでは、演算部が、作業者の疲労度等について、作業者の休憩の前後における変化量を演算する。第３入力部に、作業者が行った休憩の方法が入力される。相関関係記憶部が、変化量の情報を受け取ることができる。相関関係記憶部が、休憩の方法の情報を受け取ることができる。相関関係記憶部が、作業者の状態の情報を受け取ることができる。相関関係記憶部が、演算部が演算した変化量と第３入力部に入力された休憩の方法と第２検知部が検知した作業者の状態との相関関係を記憶する。
【００２０】
したがって、作業者の疲労度等の変化量と休憩の方法と作業者の状態との相関関係を記憶している。このため、作業者の状態にさらに適した休憩の方法をガイダンスすることができる。
請求項１１に係る休憩ガイダンスシステムは、請求項１０に記載の休憩ガイダンスシステムであって、作業者は、複数存在する。休憩ガイダンスシステムは、第３検知部をさらに備える。第３検知部は、対象作業者の存在を別の作業者と区別して検知する。対象作業者は、複数の作業者のうちいずれかの作業者である。演算部は、作業者の疲労度等について、作業者の休憩の前後における変化量を作業者毎に演算する。相関関係記憶部は、演算部が演算した変化量と第３入力部に入力された休憩の方法と第２検知部が検知した作業者の状態との相関関係を作業者毎に記憶する。
【００２１】
この休憩ガイダンスシステムでは、作業者が、複数存在する。第３検知部が、対象作業者の存在を別の作業者と区別して検知する。演算部が、対象作業者の存在の情報を受け取ることができる。演算部が、作業者の疲労度等について、作業者の休憩の前後における変化量を作業者毎に演算する。第３入力部に、作業者が行った休憩の方法が入力される。相関関係記憶部が、変化量の情報を受け取ることができる。相関関係記憶部が、休憩の方法の情報を受け取ることができる。相関関係記憶部が、作業者の状態の情報を受け取ることができる。相関関係記憶部が、対象作業者の存在の情報を受け取ることができる。相関関係記憶部が、演算部が演算した変化量と第３入力部に入力された休憩の方法と第２検知部が検知した作業者の状態との相関関係を作業者毎に記憶する。
【００２２】
したがって、作業者の疲労度等の変化量と休憩の方法と作業者の状態との相関関係を作業者毎に記憶している。このため、作業者の状態にさらに適した休憩の方法を作業者毎にガイダンスすることができる。
なお、対象作業者の存在を別の作業者と区別して検知する方法は、対象作業者の指紋により検知する方法であってもよいし、対象作業者の声紋により検知する方法であってもよいし、対象作業者の掌紋により検知する方法であってもよいし、対象作業者の網膜パターンにより検知する方法であってもよいし、対象作業者の虹彩の模様により検知する方法であってもよいし、それらの２つ以上の組み合わせにより検知する方法であってもよい。
【００２３】
請求項１２に係る休憩ガイダンスシステムは、請求項１から１１のいずれかに記載の休憩ガイダンスシステムであって、ガイダンス部は、作業者の疲労度等に基づいて、作業者の状態に適した休憩の方法及び作業者の状態に適した休憩時間をガイダンスする。
この休憩ガイダンスシステムでは、作業者の疲労度等に基づいて、作業者の状態に適した休憩の方法及び作業者の状態に適した休憩時間を決めることができる。ガイダンス部が、作業者の疲労度等に基づいて、作業者の状態に適した休憩の方法及び作業者の状態に適した休憩時間をガイダンスする。
【００２４】
したがって、休憩の方法だけでなく休憩時間をガイダンスするので、休憩について詳細にガイダンスすることができる。
請求項１３に係る休憩ガイダンスシステムは、請求項１２に記載の休憩ガイダンスシステムであって、報知部をさらに備える。報知部は、ガイダンス部がガイダンスした休憩時間に基づいて、休憩の終了を報知する。
【００２５】
この休憩ガイダンスシステムでは、作業者の疲労度等に基づいて、作業者の状態に適した休憩の方法及び作業者の状態に適した休憩時間を決めることができる。報知部が、休憩時間の情報を受け取ることができる。報知部が、ガイダンス部がガイダンスした休憩時間に基づいて、休憩の終了を報知する。
したがって、休憩の終了を報知するので、必要以上に休憩が取られることを防止することができる。このため、さらに効果的な休憩を取ることができる。
【００２６】
請求項１４に係る休憩ガイダンスシステムは、請求項１から１３のいずれかに記載の休憩ガイダンスシステムであって、ガイダンス部は、作業者の疲労度等に基づいて、作業者の作業の種類を、作業者の状態に適した作業の種類に変更するようにガイダンスする。
この休憩ガイダンスシステムでは、作業者の疲労度等に基づいて、作業者の状態に適した作業の種類を決めることができる。ガイダンス部が、作業者の疲労度等に基づいて、作業者の作業の種類を、作業者の状態に適した作業の種類に変更するようにガイダンスする。
【００２７】
したがって、作業者の作業の種類を作業者の状態に適した作業の種類に変更することができる。このため、作業者の生産性を向上することができる。
請求項１５に係る休憩ガイダンス方法は、作業者に休憩がガイダンスされる休憩ガイダンス方法であって、第１ステップと、第２ステップと、第３ステップとを備える。第１ステップでは、作業者の疲労度等が検知される。第２ステップでは、作業者の状態が検知される。第３ステップでは、作業者の疲労度等に基づいて、作業者の状態に適した休憩の方法がガイダンスされる。
【００２８】
この休憩ガイダンス方法では、第１ステップにおいて、作業者の疲労度等が検知される。第２ステップにおいて、作業者の状態が検知される。作業者の疲労度等に基づいて、作業者の状態に適した休憩の方法が決められ得る。第３ステップにおいて、作業者の疲労度等に基づいて、作業者の状態に適した休憩の方法がガイダンスされる。
したがって、作業者の状態に適した休憩の方法をガイダンスするので、効果的な休憩を取ることができる。このため、作業者の生産性を向上することができる
請求項１６に係る休憩ガイダンスプログラムは、作業者に対する休憩をコンピュータにガイダンスさせる休憩ガイダンスプログラムであって、第１ステップと、第２ステップと、第３ステップとを備える。第１ステップでは、作業者の疲労度等が検知される。第２ステップでは、作業者の状態が検知される。第３ステップでは、作業者の疲労度等に基づいて、作業者の状態に適した休憩の方法がガイダンスされる。
【００２９】
この休憩ガイダンスプログラムでは、第１ステップにおいて、作業者の疲労度等が検知される。第２ステップにおいて、作業者の状態が検知される。作業者の疲労度等に基づいて、作業者の状態に適した休憩の方法が決められ得る。第３ステップにおいて、作業者の疲労度等に基づいて、作業者の状態に適した休憩の方法がガイダンスされる。
したがって、作業者の状態に適した休憩の方法をガイダンスするので、効果的な休憩を取ることができる。このため、作業者の生産性を向上することができる
【発明の効果】
【００３０】
請求項１に係る休憩ガイダンスシステムでは、作業者の状態に適した休憩の方法をガイダンスするので、効果的な休憩を取ることができる。このため、作業者の生産性を向上することができる。
請求項２に係る休憩ガイダンスシステムでは、休憩の方法を詳細にガイダンスすることができる。
【００３１】
請求項３に係る休憩ガイダンスシステムでは、作業者の作業の種類に適した休憩の方法をガイダンスすることができる。
請求項４に係る休憩ガイダンスシステムでは、作業者の作業の経過時間及び作業者の作業の残勤務時間の少なくとも一方に適した休憩の方法をガイダンスすることができる。
請求項５に係る休憩ガイダンスシステムでは、作業者の周囲の環境に適した休憩の方法をガイダンスすることができる。
【００３２】
請求項６に係る休憩ガイダンスシステムでは、作業者の疲労度等が所定値を超えたことにより、ガイダンスが行われる。このため、ガイダンスすべき場合を容易に特定することができる。
請求項７に係る休憩ガイダンスシステムでは、疲労度と覚醒度との組み合わせに基づいて、休憩の方法をガイダンスする。このため、さらに効果的な休憩を取ることができる。
【００３３】
請求項８に係る休憩ガイダンスシステムでは、作業者の疲労度等が入力されるので、作業者の疲労度等の情報を確実に把握することができる。
請求項９に係る休憩ガイダンスシステムでは、作業者の状態が入力されるので、作業者の状態の情報を確実に把握することができる。
請求項１０に係る休憩ガイダンスシステムでは、作業者の疲労度等の変化量と休憩の方法と作業者の状態との相関関係を記憶している。このため、作業者の状態にさらに適した休憩の方法をガイダンスすることができる。
【００３４】
請求項１１に係る休憩ガイダンスシステムでは、作業者の疲労度等の変化量と休憩の方法と作業者の状態との相関関係を作業者毎に記憶している。このため、作業者の状態にさらに適した休憩の方法を作業者毎にガイダンスすることができる。
請求項１２に係る休憩ガイダンスシステムでは、休憩の方法だけでなく休憩時間をガイダンスするので、休憩について詳細にガイダンスすることができる。
【００３５】
請求項１３に係る休憩ガイダンスシステムでは、休憩の終了を報知するので、必要以上に休憩が取られることを防止することができる。このため、さらに効果的な休憩を取ることができる。
請求項１４に係る休憩ガイダンスシステムでは、作業者の作業の種類を作業者の状態に適した作業の種類に変更することができる。このため、作業者の生産性を向上することができる。
【００３６】
請求項１５に係る休憩ガイダンス方法では、作業者の状態に適した休憩の方法をガイダンスするので、効果的な休憩を取ることができる。このため、作業者の生産性を向上することができる
請求項１６に係る休憩ガイダンスプログラムでは、作業者の状態に適した休憩の方法をガイダンスするので、効果的な休憩を取ることができる。このため、作業者の生産性を向上することができる
【発明を実施するための最良の形態】
【００３７】
［第１実施形態］
本発明の第１実施形態に係る休憩ガイダンスシステム１の概念図を図１に示す。また、本発明の第１実施形態に係る休憩ガイダンスシステム１の各構成要素の構成図を図２に示す。図１に示す休憩ガイダンスシステム１は、主として作業者群７０（７０ａ，７０ｂ，・・・）に休憩をガイダンスするためのシステムである。
【００３８】
＜休憩ガイダンスシステム１の全体構成＞
図１，図２に示すように、この休憩ガイダンスシステム１は、主として覚醒度センサー群３０（３０ａ，３０ｂ，・・・）と状態センサー群４０（４０ａ，４０ｂ，・・・）と端末装置群１０（１０ａ，１０ｂ，・・・）とを備える。覚醒度センサー群３０（３０ａ，３０ｂ，・・・）は、作業者群７０（７０ａ，７０ｂ，・・・）の下に敷かれる。端末装置群１０（１０ａ，１０ｂ，・・・）は、デスク群５０（５０ａ，５０ｂ，・・・）の作業台上に設置される。
【００３９】
＜覚醒度センサー群３０（３０ａ，３０ｂ，・・・）の構成＞
図２に示すように、覚醒度センサー３０ａは、主として第１検知部３１ａと通知部３２ａとを備える。
図２に示す第１検知部３１ａは、作業者７０ａの覚醒度を検知する。図２に示す通知部３２ａは、作業者７０ａの覚醒度の情報を図２に示す第１検知部３１ａから受け取る。通知部３２ａは、作業者７０ａの覚醒度の情報を端末装置１０ａに通知する。
【００４０】
他の覚醒度センサー２０ｂ，・・・も、覚醒度センサー２０ａと同様である。
＜状態センサー群４０（４０ａ，４０ｂ，・・・）の構成＞
図２に示すように、状態センサー４０ａは、主として第２検知部４１ａと通知部４２ａとを備える。
図２に示す第２検知部４１ａは、作業者７０ａの状態を検知する。例えば、図４に示す作業の経過時間１９１ａ、作業の種類１９２ａ及び残勤務時間１９５ａを検知する。図２に示す通知部４２ａは、図１に示す作業者７０ａの状態の情報を図２に示す第１検知部４１ａから受け取る。通知部４２ａは、作業者７０ａの状態の情報を端末装置１０ａに通知する。
【００４１】
他の状態センサー４０ｂ，・・・も、状態センサー４０ａと同様である。
＜端末装置群１０（１０ａ，１０ｂ，・・・）の構成＞
図２に示すように、端末装置１０ａは、主として受取部１１ａ、第１検知部１２ａ、制御部１４ａ及びガイダンス部１７ａを備える。
受取部１１ａは、図１に示す作業者７０ａの覚醒度の情報を覚醒度センサー３０ａから受け取る。図２に示す受取部１１ａは、図１に示す作業者７０ａの覚醒度の情報を制御部１４ａに渡す。受取部１１ａは、図１に示す作業者７０ａの状態の情報を状態センサー４０ａから受け取る。図２に示す受取部１１ａは、図１に示す作業者７０ａの状態の情報を制御部１４ａに渡す。一方、第１検知部１２ａは、図１に示す作業者７０ａの疲労度を検知する。例えば、端末装置への入力キー（全てのキー）が押される回数に対する取消キー（ＤＥＬキーやＢＳキーなど）が押される回数の割合に基づいて、疲労度を検知する。図２に示す第１検知部１２ａは、疲労度の情報を制御部１４ａへ渡す。制御部１４ａは、データベース１９ａを参照する。これにより、制御部１４ａは、図１に示す作業者７０ａの図４に示す覚醒度１９４ａ及び図１に示す作業者７０ａの図４に示す疲労度１９３ａに基づいて、図１に示す作業者７０ａの状態に適した図４に示す休憩の方法１９６ａと休憩時間１９７ａとを決める。制御部１４ａは、休憩の方法の情報と休憩時間の情報とをガイダンス部１７ａに渡す。ガイダンス部１７ａは、休憩の方法の情報と休憩時間の情報とを表示画面（図示せず）に表示する。
【００４２】
他の端末装置１０ｂ，・・・も、端末装置１０ａと同様である。
＜データベース１９ａの構成＞
図２に示すデータベース１９ａは、図４に示すように、主として作業の経過時間１９１ａ、作業の種類１９２ａ、疲労度１９３ａ、覚醒度１９４ａ、残勤務時間１９５ａ、休憩の方法１９６ａ及び休憩時間１９７ａを備える。
【００４３】
作業の経過時間１９１ａは、図１に示す作業者７０ａが作業を開始してから経過した時間である。図４では、作業の経過時間１９１ａは、１時間以上または１時間未満である。作業の種類１９２ａは、図１に示す作業者７０ａが行っている作業の種類である。図４では、作業の種類１９２ａは、複雑な作業又は単純な作業である。疲労度１９３ａは、図１に示す作業者７０ａの疲労の度合いを示すものである。図４では、大または小である。覚醒度１９４ａは、図１に示す作業者７０ａの覚醒の度合いを示すものである。図４では、高または低である。残勤務時間１９５ａは、図１に示す作業者７０ａに対して決められた終業時刻までの時間である。図４では、残勤務時間１９５ａは、１時間以上または１時間未満である。休憩の方法１９６ａは、図１に示す作業者７０ａに対してガイダンスされる休憩の方法または作業変更の方法である。図４では、休憩の方法１９６ａは、休息、リラックス、リフレッシュまたは単純作業に変更などである。なお、休息は、作業者７０ａが動かずに休憩する方法である。リラックスは、作業者７０ａが緊張を緩めることにより休憩する方法である。リフレッシュは、作業者７０ａが動いて休憩する方法である。
【００４４】
他のデータベース１９ｂ，・・・も、データベース１９ａと同様である。
＜休憩ガイダンスシステム１が作業者群７０（７０ａ，７０ｂ，・・・）に休憩をガイダンスする処理の流れ＞
休憩ガイダンスシステム１が作業者群７０（７０ａ，７０ｂ，・・・）に休憩をガイダンスする処理の流れを、図３に示すフローチャートを用いて説明する。ここでは、休憩ガイダンスシステム１が作業者７０ａに休憩をガイダンスする場合について説明する。休憩ガイダンスシステム１が他の作業者７０ｂ，・・・に休憩をガイダンスする場合についても同様である。
【００４５】
図３に示すステップＳ１では、疲労度及び覚醒度が検知される。すなわち、図２に示す覚醒度センサー３０ａの第１検知部３１ａにより、作業者７０ａの覚醒度が検知される。図３に示す通知部３２ａにより、作業者７０ａの覚醒度の情報が図２に示す第１検知部３１ａから受け取られる。通知部３２ａにより、作業者７０ａの覚醒度の情報が端末装置１０ａに通知される。端末装置１０ａの受取部１１ａにより、図１に示す作業者７０ａの覚醒度の情報が覚醒度センサー３０ａから受け取られる。図２に示す受取部１１ａにより、図１に示す作業者７０ａの覚醒度の情報が制御部１４ａに渡される。一方、端末装置１０ａの第１検知部１２ａにより、図１に示す作業者７０ａの疲労度が検知される。例えば、端末装置への入力キー（全てのキー）が押される回数に対する取消キー（ＤＥＬキーやＢＳキーなど）が押される回数の割合に基づいて、疲労度が検知される。図２に示す第１検知部１２ａにより、疲労度の情報が制御部１４ａへ渡される。
【００４６】
図３に示すステップＳ２では、作業者の状態が検知される。すなわち、図２に示す状態センサー４０ａの第２検知部４１ａにより、作業者７０ａの状態が検知される。例えば、図４に示す作業の経過時間１９１ａ、作業の種類１９２ａ及び残勤務時間１９５ａが検知される。図２に示す通知部４２ａにより、図１に示す作業者７０ａの状態の情報が図２に示す第１検知部４１ａから受け取られる。通知部４２ａにより、作業者７０ａの覚醒度の情報が端末装置１０ａに通知される。端末装置１０ａの受取部１１ａにより、図１に示す作業者７０ａの状態の情報が状態センサー４０ａから受け取られる。図２に示す受取部１１ａにより、図１に示す作業者７０ａの状態の情報が制御部１４ａに渡される。
【００４７】
図３に示すステップＳ３では、休憩の方法が選択される。すなわち、制御部１４ａにより、データベース１９ａが参照される。そして、制御部１４ａにより、図１に示す作業者７０ａの図４に示す疲労度１９３ａに基づいて、図１に示す作業者７０ａの状態に適した図４に示す休憩の方法１９６ａと休憩時間１９７ａとが決められる。
図３に示すステップＳ４では、疲労度が所定値を超えること及び覚醒度が所定値を超えることのいずれかが満たされたか否かが判断される。すなわち、制御部１４ａにより、いずれかが満たされたと判断された場合、ステップＳ５へ進められる。制御部１４ａにより、いずれかが満たされていないと判断された場合、ステップＳ１へ進められる。
【００４８】
図３に示すステップＳ５では、ガイダンスが行われる。すなわち、制御部１４ａにより、休憩の方法の情報と休憩時間の情報とがガイダンス部１７ａに渡される。ガイダンス部１７ａにより、休憩の方法の情報と休憩時間の情報とが表示画面（図示せず）に表示される。
＜休憩ガイダンスシステム１に関する特徴＞
（１）
ここでは、図２に示す第１検知部３１ａが、作業者７０ａの覚醒度を検知する。第１検知部１２ａが、作業者７０ａの疲労度を検知する。第２検知部４１ａが、作業者７０ａの状態を検知する。制御部１４ａが、作業者７０ａの疲労度及び作業者７０ａの覚醒度に基づいて、作業者の状態に適した休憩の方法を決める。ガイダンス部１７ａが、作業者７０ａの疲労度及び作業者７０ａの覚醒度に基づいて、作業者７０ａの状態に適した休憩の方法をガイダンスする。
【００４９】
したがって、作業者７０ａの状態に適した休憩の方法をガイダンスするので、効果的な休憩を取ることが可能である。このため、作業者７０ａの生産性が向上される。
（２）
ここでは、ガイダンス部１７ａが、作業者７０ａの疲労度及び作業者７０ａの覚醒度に基づいて、作業者７０ａの状態に適した休憩の方法をガイダンスする。ガイダンス部１７ａが、休憩の方法として、少なくとも休息とリフレッシュとリラックスとをガイダンスする。
【００５０】
したがって、休憩の方法が詳細にガイダンスされる。
（３）
ここでは、第２検知部４１ａが、作業者の状態として、作業者の作業の種類を検知する。制御部１４ａが、作業者７０ａの疲労度及び作業者７０ａの覚醒度に基づいて、作業者の状態に適した休憩の方法を決める。ガイダンス部１７ａが、作業者７０ａの疲労度及び作業者７０ａの覚醒度に基づいて、作業者の状態に適した休憩の方法をガイダンスする。
【００５１】
したがって、図４に示すように、作業者の作業の種類１９２ａに適した休憩の方法１９６ａがガイダンスされる。
（４）
ここでは、第２検知部４１ａが、作業者７０ａの状態として、作業者７０ａの作業の経過時間及び作業者７０ａの作業の残勤務時間を検知する。制御部１４ａが、作業者７０ａの疲労度及び作業者７０ａの覚醒度に基づいて、作業者の状態に適した休憩の方法を決める。ガイダンス部１７ａが、作業者７０ａの疲労度及び作業者７０ａの覚醒度に基づいて、作業者の状態に適した休憩の方法をガイダンスする。
【００５２】
したがって、図４に示すように、作業者７０ａの作業の経過時間１９１ａ及び作業者７０ａの作業の残勤務時間１９５ａに適した休憩の方法１９６ａがガイダンスされる。
（５）
ここでは、制御部１４ａは、作業者７０ａの疲労度が所定値を超えること及び作業者７０ａの覚醒度が所定値を超えることのいずれかが満たされたとき、作業者７０ａの状態に適した休憩の方法を決める。ガイダンス部１７ａが、作業者７０ａの疲労度が所定値を超えること及び作業者７０ａの覚醒度が所定値を超えることのいずれかが満たされたとき、作業者の状態に適した休憩の方法をガイダンスする。
【００５３】
したがって、作業者７０ａの疲労度が所定値を超えること及び作業者７０ａの覚醒度が所定値を超えることのいずれかが満たされたことにより、ガイダンスが行われる。このため、ガイダンスすべき場合が容易に特定される。
（６）
ここでは、制御部１４ａが、作業者７０ａの疲労度及び作業者７０ａの覚醒度の両方に基づいて、作業者７０ａの状態に適した休憩の方法を決める。ガイダンス部１７ａが、作業者７０ａの疲労度及び作業者７０ａの覚醒度の両方に基づいて、作業者の状態に適した休憩の方法をガイダンスする。
【００５４】
したがって、疲労度と覚醒度との組み合わせに基づいて、休憩の方法をガイダンスする。このため、さらに効果的な休憩を取ることが可能である。
（７）
ここでは、制御部１４ａが、作業者７０ａの疲労度及び作業者７０ａの覚醒度に基づいて、作業者の状態に適した休憩の方法を決める。ガイダンス部１７ａが、作業者７０ａの疲労度及び作業者７０ａの覚醒度に基づいて、作業者７０ａの状態に適した休憩の方法及び作業者７０ａの状態に適した休憩時間をガイダンスする。
【００５５】
したがって、図４に示すように、休憩の方法１９６ａだけでなく休憩時間１９７ａをガイダンスするので、休憩について詳細にガイダンスすることが可能である。
（８）
ここでは、制御部１４ａが、作業者７０ａの疲労度及び作業者７０ａの覚醒度に基づいて、作業者の状態に適した休憩の方法を決める。ガイダンス部１７ａが、作業者７０ａの疲労度及び作業者７０ａの覚醒度に基づいて、作業者７０ａの作業の種類を、作業者７０ａの状態に適した作業の種類に変更するようにガイダンスする。
【００５６】
したがって、図４の行１９９ａに示すように、作業者７０ａの作業の種類１９２ａを作業者の状態に適した作業の種類に変更することが可能である。このため、作業者の生産性が向上される。
＜第１実施形態の変形例＞
（Ａ）図２に示す第２検知部４１ａが、作業者の状態として、作業者の周囲の環境を検知してもよい。この場合、制御部１４ａが、作業者７０ａの疲労度及び作業者７０ａの覚醒度に基づいて、作業者の状態に適した休憩の方法を決める。ガイダンス部１７ａが、作業者７０ａの疲労度及び作業者７０ａの覚醒度に基づいて、作業者７０ａの状態に適した休憩の方法をガイダンスする。したがって、作業者７０ａの周囲の環境に適した休憩の方法をガイダンスすることができる。なお、環境としては、温熱環境（空調環境）でもよいし、湿度環境（空調環境）でもよいし、気流環境（空調環境）でもよいし、照明環境でもよいし、音響環境でもよいし、臭いの環境でもよいし、作業者７０ａの疲労度及び作業者７０ａの覚醒度に影響を与える環境であればどんな環境であってもよい。
【００５７】
（Ｂ）図１に示す休憩ガイダンスシステム１は、第１入力部１５ａをさらに備えてもよい。この場合、第１入力部１５ａに、作業者７０ａの疲労度及び作業者７０ａの覚醒度が入力される。制御部１４ａが、作業者７０ａの疲労度及び作業者７０ａの覚醒度に基づいて、作業者の状態に適した休憩の方法を決める。したがって、作業者７０ａの疲労度及び作業者７０ａの覚醒度が入力されるので、作業者７０ａの疲労度及び作業者７０ａの覚醒度の情報を確実に把握することができる。
【００５８】
（Ｃ）図１に示す休憩ガイダンスシステム１は、第２入力部１６ａをさらに備えてもよい。この場合、第２入力部１６ａに、作業者７０ａの状態が入力される。制御部１４ａが、作業者７０ａの疲労度及び作業者７０ａの覚醒度に基づいて、作業者の状態に適した休憩の方法を決める。したがって、作業者の状態が入力されるので、作業者の状態の情報を確実に把握することができる。
【００５９】
（Ｄ）図１に示す休憩ガイダンスシステム１は、演算部１３ａと第３入力部２１ａと相関関係記憶部１８ａとをさらに備えてもよい。この場合、演算部１３ａが、作業者７０ａの疲労度及び作業者７０ａの覚醒度について、作業者７０ａの休憩の前後における変化量を演算する。第３入力部２１ａに、作業者７０ａが行った休憩の方法及び休憩時間が入力される。相関関係記憶部１８ａが、変化量の情報を受け取る。相関関係記憶部１８ａが、休憩の方法の情報を受け取る。相関関係記憶部１８ａが、作業者７０ａの状態の情報を受け取る。相関関係記憶部１８ａが、演算部１３ａが演算した変化量と第３入力部２１ａに入力された休憩の方法と第２検知部４１ａが検知した作業者の状態との相関関係を記憶する。例えば、図６に示すように、相関関係記憶部１８ａが、作業の経過時間１８１ａ、作業の種類１８２ａ、残勤務時間１８５ａ、休憩の方法１８６ａ、休憩時間１８７ａ、疲労度の変化量１８３ａ及び覚醒度の変化量１８４ａの相関関係を記憶する。
【００６０】
さらに、図１に示す休憩ガイダンスシステム１が作業者群７０（７０ａ，７０ｂ，・・・）に休憩をガイダンスする処理の流れが、次の点で第１実施形態と異なる。なお、図１に示す休憩ガイダンスシステム１が作業者７０ａに休憩をガイダンスする場合について説明するが、ガイダンスシステム１が他の作業者７０ｂ，・・・に休憩をガイダンスする場合についても同様である。図５において、図３に示す第１実施形態と同様の処理は、同じ番号で示してある。
【００６１】
図５に示すステップＳ６では、変化量が演算される。すなわち、演算部１３ａにより、作業者７０ａの疲労度及び作業者７０ａの覚醒度について、作業者７０ａの休憩の前後における変化量が演算される。演算部１３ａにより、変化量の情報が制御部１４ａに渡される。
図５に示すステップＳ７では、休憩の方法が入力される。すなわち、第３入力部２１ａに、作業者７０ａが行った休憩の方法及び休憩時間が入力される。第３入力部２１ａにより、作業者７０ａが行った休憩の方法及び休憩時間の情報が制御部１４ａに渡される。
【００６２】
図５に示すステップＳ８では、相関関係が記憶される。すなわち、相関関係記憶部１８ａにより、変化量の情報が制御部１４ａから受け取られる。相関関係記憶部１８ａにより、休憩の方法の情報が制御部１４ａから受け取られる。相関関係記憶部１８ａにより、作業者７０ａの状態の情報が制御部１４ａから受け取られる。相関関係記憶部１８ａにより、演算部１３ａにより演算された変化量と、第３入力部２１ａに入力された休憩の方法及び休憩時間と、第２検知部４１ａにより検知された作業者７０ａの状態と、の相関関係が記憶される。例えば、図６に示すように、相関関係記憶部１８ａにより、作業の経過時間１８１ａ、作業の種類１８２ａ、残勤務時間１８５ａ、休憩の方法１８６ａ、休憩時間１８７ａ、疲労度の変化量１８３ａ及び覚醒度の変化量１８４ａの相関関係が記憶される。
【００６３】
図５に示すステップＳ９では、データベースが更新される。すなわち、制御部１４ａにより、相関関係記憶部１８ａが参照され、データベース１９ａの内容が書き換えられる。
したがって、作業者７０ａの疲労度及び作業者７０ａの覚醒度の変化量と、休憩の方法及び休憩時間と、作業者７０ａの状態と、の相関関係を記憶している。このため、作業者７０ａの状態にさらに適した休憩の方法をガイダンスすることができる。
【００６４】
（Ｅ）図１に示す休憩ガイダンスシステム１は、図２に示すように、報知部２２ａをさらに備えてもよい。この場合、制御部１４ａが、作業者７０ａの疲労度及び作業者７０ａの覚醒度に基づいて、作業者７０ａの状態に適した休憩の方法及び作業者７０ａの状態に適した休憩時間を決める。報知部２２ａが、休憩時間の情報を制御部１４ａから受け取る。報知部２２ａが、ガイダンス部１７ａがガイダンスした休憩時間に基づいて、休憩の終了を報知する。したがって、休憩の終了を報知するので、必要以上に休憩が取られることを防止することができる。このため、さらに効果的な休憩を取ることができる。
【００６５】
（Ｆ）図２に示す第１検知部３１ａは、作業者７０ａの疲労度及び作業者７０ａの覚醒度のどちらか一方のみを検知してもよい。ガイダンス部１７ａは、作業者７０ａの疲労度及び作業者７０ａの覚醒度のどちらか一方のみに基づいて、ガイダンスしてもよい。ガイダンス部１７ａは、休息、リフレッシュ及びリラックスの少なくとも１つをガイダンスしてもよい。第２検知部４１ａは、作業者７０ａの作業の経過時間及び作業者７０ａの作業の残勤務時間のどちらか一方を検知してもよい。図３に示すステップＳ４では、作業者７０ａの疲労度及び作業者７０ａの覚醒度のどちらか一方のみについて、所定値を超えたか否かが判断されてもよい。図３に示すステップＳ４では、作業者７０ａの疲労度及び作業者７０ａの覚醒度の両方とも、所定値を超えたが否かが判断されてもよい。図３に示すステップＳ４では、作業者７０ａの状態に応じて、所定値が異なっていてもよい。第１入力部１５ａには、作業者７０ａの疲労度及び作業者７０ａの覚醒度のどちらか一方のみが入力されてもよい。演算部１３ａは、作業者７０ａの疲労度及び作業者７０ａの覚醒度のどちらか一方のみについて、変化量を演算してもよい。
【００６６】
（Ｇ）図４に示す休息とは、例えば、仮眠、安静、瞑想などである。リフレッシュとは、例えば、散歩、軽い運動、喫茶、会話などである。リラックスとは、例えば、落ち着かせる香りをかぐこと、落ち着かせる照明に照らされること、落ち着かせる音楽を聴くことなどである。複雑な作業は、例えば、ＣＡＤによる設計作業であってもよいし、ソフトウェアのプログラミング作業であってもよいし、特許明細書の作成作業であってもよい。単純な作業は、例えば、データベースへの入力作業であってもよいし、事務書類作成作業であってもよいし、伝票の入力作業であってもよいし、文書のワープロでの清書作業であってもよい。
【００６７】
（Ｈ）図２に示すガイダンス部１７ａは、表示画面に表示することによりガイダンスする代わりに、音声によりガイダンスを行ってもよいし、出力装置に出力することによりガイダンスを行ってもよい。
［第２実施形態］
本発明の第２実施形態に係る休憩ガイダンスシステム１００を図７に示す。また、休憩ガイダンスシステム１００の各構成要素の構成図を図８に示す。図７，図８において、図１，図２の休憩ガイダンスシステム１の構成要素と同様の構成要素は同じ番号で示してある。図７に示す休憩ガイダンスシステム１００は、主として作業者群１７０（１７０ａ，１７０ｂ，・・・）に休憩をガイダンスするためのシステムである。
【００６８】
この休憩ガイダンスシステム１００は、図７，図８に示すように、基本的な構造は第１実施形態と同様であり各構成要素は図２と同様であるが、作業者１７０ａ，１７０ｂ，・・・がそれぞれ複数存在する点と、状態センサー群１４０（１４０ａ，１４０ｂ，・・・）の構成と、端末装置群１１０（１１０ａ，１１０ｂ，・・・）の構成と、が第１実施形態と異なる。すなわち、状態センサー１４０ａは、第３検知部１４３ａをさらに備える。第３検知部１４３ａが、作業者１７０ａａ，１７０ａｂ，・・・の存在を別の作業者１７０ａａ，１７０ａｂ，・・・と区別して検知する。演算部１１３ａが、作業者１７０ａａ，１７０ａｂ，・・・の存在の情報を受け取る。演算部１１３ａが、作業者１７０ａａ，１７０ａｂ，・・・の疲労度及び作業者１７０ａａ，１７０ａｂ，・・・の覚醒度について、作業者１７０ａａ，１７０ａｂ，・・・の休憩の前後における変化量を作業者１７０ａａ，１７０ａｂ，・・・毎に演算する。第３入力部２１ａに、作業者１７０ａａ，１７０ａｂ，・・・が行った休憩の方法及び休憩時間が入力される。相関関係記憶部１１８ａが、変化量の情報を受け取る。相関関係記憶部１１８ａが、休憩の方法の情報及び休憩時間の情報を受け取る。相関関係記憶部１１８ａが、作業者１７０ａａ，１７０ａｂ，・・・の状態の情報を受け取る。相関関係記憶部１１８ａが、作業者１７０ａａ，１７０ａｂ，・・・の存在の情報を受け取る。相関関係記憶部１１８ａが、演算部１１３ａが演算した変化量と第３入力部２１ａに入力された休憩の方法と第２検知部が検知した作業者の状態との相関関係を作業者毎に記憶する。データベース１１９ａは、作業者１７０ａａ，１７０ａｂ，・・・毎に図４と同様の情報を記憶しており、相関関係記憶部１１８ａの内容に基づいて更新される。
【００６９】
したがって、作業者１７０ａａ，１７０ａｂ，・・・の疲労度及び作業者１７０ａａ，１７０ａｂ，・・・の覚醒度の変化量と、休憩の方法及び休憩時間と、作業者１７０ａａ，１７０ａｂ，・・・の状態と、の相関関係を作業者１７０ａａ，１７０ａｂ，・・・毎に記憶している。このため、作業者１７０ａａ，１７０ａｂ，・・・の状態にさらに適した休憩の方法が作業者１７０ａａ，１７０ａｂ，・・・毎にガイダンスされる。
【００７０】
作業者１７０ａａ，１７０ａｂ，・・・の状態に適した休憩の方法をガイダンスするので、効果的な休憩を取ることが可能である点は、第１実施形態と同様である。したがって、このような休憩ガイダンスシステム１００によっても、作業者１７０ａａ，１７０ａｂ，・・・の生産性が向上される。
＜第２実施形態の変形例＞
（Ａ）作業者１７０ａａ，１７０ａｂ，・・・の存在を別の作業者１７０ａａ，１７０ａｂ，・・・と区別して検知する方法は、作業者１７０ａａ，１７０ａｂ，・・・の指紋により検知する方法であってもよいし、作業者１７０ａａ，１７０ａｂ，・・・の声紋により検知する方法であってもよいし、作業者１７０ａａ，１７０ａｂ，・・・の掌紋により検知する方法であってもよいし、作業者１７０ａａ，１７０ａｂ，・・・の網膜パターンにより検知する方法であってもよいし、作業者１７０ａａ，１７０ａｂ，・・・の虹彩の模様により検知する方法であってもよいし、それらの２つ以上の組み合わせにより検知する方法であってもよい。
【００７１】
［第３実施形態］
本発明の第３実施形態に係る休憩ガイダンスシステム２００を図９に示す。また、休憩ガイダンスシステム２００の各構成要素の構成図を図１０，図１１に示す。図９，図１０，図１１において、図１，図２の休憩ガイダンスシステム１の構成要素と同様の構成要素は同じ番号で示してある。図９に示す休憩ガイダンスシステム２００は、主として作業者群７０（７０ａ，７０ｂ，・・・）に休憩をガイダンスするためのシステムである。
【００７２】
この休憩ガイダンスシステム２００は、図９，図１０，図１１に示すように、基本的な構造は第１実施形態と同様であり各構成要素は図２と同様であるが、管理センター２９０がさらに備えられている点と、端末装置群２１０（２１０ａ，２１０ｂ，・・・）の構成と、が第１実施形態と異なる。すなわち、端末装置２１０ａは、図１０に示すように、相関関係記憶部１８ａやデータベース１９ａを備えておらず、送受信部２２３ａをさらに備えている。管理センター２９０は、図１１に示すように、主として、送受信部２９１，制御部２９２，演算部２９３，相関関係記憶部１８ａ，１８ｂ，・・・及びデータベース１９ａ，１９ｂ，・・・を備えている。
【００７３】
端末装置２１０ａの制御部１４ａが、送受信部２２３ａとネットワーク２８０とを介して、管理センター２９０に、作業者７０ａの疲労度及び作業者７０ａの覚醒度の情報を送信するとともに、作業者７０ａの状態に適した休憩の方法及び作業者７０ａの状態に適した休憩時間を問い合わせる。管理センター２９０の制御部２９２が、ネットワーク２８０と送受信部２９１を介して、端末装置２１０ａから、作業者７０ａの疲労度及び作業者７０ａの覚醒度の情報を受信する。制御部２９２は、データベース１９ａ，１９ｂ，・・・を参照し、作業者７０ａの疲労度及び作業者７０ａの覚醒度に基づいて、作業者７０ａの状態に適した休憩の方法及び作業者７０ａの状態に適した休憩時間を決める。制御部２９２が、送受信部２９１とネットワーク２８０とを介して、端末装置２１０ａに、作業者７０ａの状態に適した休憩の方法及び作業者７０ａの状態に適した休憩時間の情報を送信する。これらの点で第１実施形態と異なる。
【００７４】
制御部２９２が、作業者７０ａの疲労度及び作業者７０ａの覚醒度の情報を、ネットワーク２８０と送受信部２９１を介して端末装置２１０ａから受信し、演算部２９３に渡す。演算部２９３が、作業者７０ａの疲労度及び作業者７０ａの覚醒度について、作業者７０ａの休憩の前後における変化量を演算する。端末装置２１０ａの第３入力部２１ａに、作業者７０ａが行った休憩の方法及び休憩時間が入力される。相関関係記憶部１８ａが、変化量の情報を演算部２９３から受け取る。相関関係記憶部１８ａが、休憩の方法及び休憩時間の情報を、ネットワーク２８０，送受信部２９１，制御部２９２，演算部２９３を経由して受け取る。相関関係記憶部１８ａが、作業者７０ａの状態の情報を、ネットワーク２８０，送受信部２９１，制御部２９２，演算部２９３を経由して受け取る。相関関係記憶部１８ａが、演算部２９３が演算した変化量と第３入力部２１ａに入力された休憩の方法と第２検知部４１ａが検知した作業者の状態との相関関係を記憶する。これらの点で第１実施形態と異なる。
【００７５】
作業者１７０ａａ，１７０ａｂ，・・・の状態に適した休憩の方法をガイダンスするので、効果的な休憩を取ることが可能である点は、第１実施形態と同様である。したがって、このような休憩ガイダンスシステム１００によっても、作業者１７０ａａ，１７０ａｂ，・・・の生産性が向上される。
【産業上の利用可能性】
【００７６】
本発明にかかる休憩ガイダンスシステム、休憩ガイダンス方法及び休憩ガイダンスプログラムは、作業者の生産性を向上することができるという効果を有し、休憩ガイダンスシステム、休憩ガイダンス方法及び休憩ガイダンスプログラム等として有用である。
【図面の簡単な説明】
【００７７】
【図１】本発明の第１実施形態による休憩ガイダンスシステムの概念図。
【図２】本発明の第１実施形態による休憩ガイダンスシステムの構成図。
【図３】休憩ガイダンスシステムが作業者群に休憩をガイダンスする処理の流れを示すフローチャート。
【図４】データベースの構成を示す概念図。
【図５】休憩ガイダンスシステムが作業者群に休憩をガイダンスする処理の流れを示すフローチャート。
【図６】相関関係記憶部の構成を示す概念図。
【図７】本発明の第２実施形態による休憩ガイダンスシステムの概念図。
【図８】本発明の第２実施形態による休憩ガイダンスシステムの構成図。
【図９】本発明の第３実施形態による休憩ガイダンスシステムの概念図。
【図１０】本発明の第３実施形態による休憩ガイダンスシステムの構成図。
【図１１】本発明の第３実施形態による休憩ガイダンスシステムの構成図。
【符号の説明】
【００７８】
１，１００，２００  休憩ガイダンスシステム
１０，１１０，２１０  端末装置群
３０  覚醒度センサー群
４０，１４０  状態センサー群
５０  デスク群
７０，１７０  作業者群
２８０  ネットワーク
２９０  管理センター
【図１】
2005131024.tif 000003
【図２】
2005131024.tif 000004
【図３】
2005131024.tif 000005
【図４】
2005131024.tif 000006
【図５】
2005131024.tif 000007
【図６】
2005131024.tif 000008
【図７】
2005131024.tif 000009
【図８】
2005131024.tif 000010
【図９】
2005131024.tif 000011
【図１０】
2005131024.tif 000012
【図１１】
2005131024.tif 000013